(57)【要約】　　　（修正有）【課題】画像の色値を表す画像データを処理して、画像データに応じて、画像再生システム、特に写真プリンタまたはフォトラボによって画像の最も適した色再生を達成する。【解決手段】この処理は、第１の色空間の第１の位置を表す画像データが受信され、第１の位置は第２の色空間の位置を表す変換位置に変換され、モデル画像再生システムが、第２の色空間の位置としての画像データの入力に応じてモデル画像再生システムにより生成された色値を表すモデル位置として応答を出力するように、画像データに対する画像再生システムの応答がモデル画像再生システムによりモデリングされ、第２の色空間の第２の位置を変換位置とモデル位置とに基づいて決定して、画像再生システムの制御のための最適化された画像データを決定するステップを有する。【選択図】なし【特許請求の範囲】
【請求項１】
画像再生システムにより、特に画像データに応じて写真プリンタあるいはフォトラボにより画像の最も適した色再生を達成するために画像の色値を表す画像データを処理するプロセスであって、
ａ）第１の色空間の第１の位置を表す画像データを受信し、
ｂ）第２の色空間における位置を表す変換位置に変換し、かつモデル画像再生システムが、第２の色空間における位置として入力された画像データに応じて、モデル画像再生システムにより生成される色値を表すモデル位置として応答を出力するように、モデル画像再生システムにより画像再生システムの応答を画像データに対してモデリングし、
ｃ）第２の色空間における第２の位置を変換位置およびモデル位置に基づいて決定して画像再生システムの制御用の最適化された画像データを決定するステップを有するプロセス。
【請求項２】
画像データは予め定められた制御値空間における制御値をとることができ、モデル画像再生システムにより再生可能な第２の色空間の一部分をほぼ広げるか、あるいは少なくともその部分を含む色値を表す制御値空間のすべての予想されうる制御値に応じて第２のモデル位置を生成するようにモデル画像再生システムが設計されている請求項１記載のプロセス。
【請求項３】
画像データは予め選択された制御値空間における制御値をとることができ、制御値空間のすべての制御値がステップｂ）の対象となる場合には、変換位置は第２の色空間の変換部分を広げ、モデル位置は第２の色空間のモデル部分を広げることで変換部分とモデル部分は第２の色空間のオーバーラッピング部分でオーバーラップし、ここで
ｉ）第２の位置がオーバーラッピング部分のグレイ値軸により近接しているときおよび／または第２の位置に対応した第１の位置が受信画像データにより広げられうる第１の色空間の一部分のグレイ値平面により近接しているときに、第２の位置の決定は、モデル位置よりも変換位置によってより強い影響を受け、および／または
ｉｉ）第２の位置がオーバーラッピング部分の輪郭に位置しているときおよび／または第２の位置に対応した第１の位置が受信画像データにより広げられうる第１の色空間の輪郭により近接しているときに、第２の位置の決定は、変換位置よりもモデル位置によってより強い影響を受け、および／または、
ｉｉｉ）第２の位置がオーバーラッピング部分の中心により近接しているときおよび／または第２の位置に対応した第１の位置が受信画像データにより広げられうる第１の色空間の中心により近接しているときに、第２の位置の決定は、モデル位置よりも変換位置によってより強い影響を受ける請求項１記載のプロセス。
【請求項４】
第２の位置により示される色値が画像制御データの連続関数であり、好ましくはこれが該関数の第１の導出に対しても真といえるように、変換位置によっておよびモデル位置によって第２の位置の決定に影響が及ぼされる請求項３記載の処理。
【請求項５】
第２の位置の決定のために、第２の色空間におけるモデル位置と変換位置の位置を示す位置の値が結び付けられる請求項１記載のプロセス。
【請求項６】
第２の位置の決定のために、第２の位置を各画像制御値に明確に割り当てるために、同一の画像制御値から得られたモデル位置および変換位置の位置の値がそれぞれ結びつけられる請求項５記載のプロセス。
【請求項７】
明るさを示す第２の位置の前記位置の値の数学的結びつけは重み付けにより変換位置とモデル位置の対応する位置の値から決定され、ここでこの第１の重み付けは、グレイ値軸またはグレイ値軸上の１つ以上の点と関係した、対応する第１の位置および／または変換位置および／またはモデル位置の配置にしたがって行われ、および／または　色調および／または色の飽和度を示す第２の位置の前記位置の値の数学的結びつけは、第２の重み付けにより変換位置とモデル位置の対応する位置の値から決定され、この第２の重み付けは、次に最も近接した境界面またはそれぞれの位置によりそれぞれ広げられうるそれぞれの色空間の一部分の境界と関係した、対応する第１の位置、変換位置および／またはモデル位置の配置にしたがって行われる請求項４記載のプロセス。
【請求項８】
第１の色空間は装置に依存した色空間、特にＲＧＢ色空間であり、第２の色空間は装置に依存しない色空間、特にＣＩＥ−Ｌａｂ色空間またはＣＩＥＸＹＺ色空間であり、ここでモデリング画像再生システムは画像再生システムの理想化されたモデルを表し、第２の位置は理想化されていない画像再生システムの色空間を反映する第３の色空間における色値を表す第３の位置に変換される請求項１記載のプロセス。
【請求項９】
コンピュータ上で読み出され、あるいは実行されるときにコンピュータを起動して請求項１に記載の処理を行うプログラム。
【請求項１０】
請求項９に記載のプログラムを備えたコンピュータ記憶媒体。
【請求項１１】
画像データを受信ユニットと、画像データを最適化するために請求項１の処理にしたがって受信画像データを処理するデータ処理ユニットと、記録媒体、特に紙または印画紙上の最適化された画像データに基づいて写真画像を生成する画像記録システムとを具備する写真プリンタまたはフォトラボ、特にラージラボまたはミニラボ。
【発明の詳細な説明】
【技術分野】
【０００１】
本発明は最も適した色再生を得るために画像データを処理することに関する。特に、本発明は写真分野に関する。すなわち画像データは特に写真カメラ、ビデオカメラ、デジタルカメラ等で撮影された写真画像を表す。画像データは、例えば写真プリンタ、フォトラボ、ミニラボ、モニタ（液晶ディスプレイおよびＣＲＴモニタ）のような画像再生システムの制御のために使用される。本発明は、例えば媒体（紙、印画紙、箔等）上、あるいはスクリーン（モニタ）上の画像再生システムにより再生される画像の色表現を向上させる目的に役立つ。本発明は特に全入力領域が全出力領域と一致していない場合に、出力側で画像再生システムにより再生される色空間（出力領域）を備えた入力装置（例えばスキャナ、デジタルカメラ等）によって取り込むことのできる色空間（入力領域）を監視する目的に役立つ。本発明は、画像再生システムで可能な限り最適な画像データを出力することができるように、入力装置で取り込まれ、装置に依存した色空間に存する画像データを処理することにも関する。この画像再生システムは色空間に依存した装置も定義する。
【背景技術】
【０００２】
本発明の上述した利用分野の例はｓＲＧＢ画像データを処理することである。ｓＲＧＢ画像データは例えばデジタルカメラにより出力され、画像データにより表される画像を印画紙などで生成するような方法で、画像再生システム（例えば写真プリンタまたはミニラボ）により処理される。
【０００３】
ｓＲＧＢ色空間および、これとＸＹＺ色空間などとの関係は、例えば“ｓＲＧＢ・ＩＣＣプロファイルの作成”、米国アイダホ州ボイスのヒューレッドパッカード社、メアリー＝ニールソン、マイケル＝ストーク共著、カラーリサーチ第５６８号、２５３−２５７頁出典で説明されている。ｓＲＧＢ色空間は特に以下の理由のため広く用いられている。
【０００４】
ａ）陰極線管（ＣＲＴモニタ）の亜リン酸原色の変換関数および色度がｓＲＧＢ色空間と非常に類似している。したがって、プロファイルによって色をさらにマッピングする必要なく、モニタ上で納得のいく品質の画像を表示することができる。ｓＲＧＢ色空間は現在とても一般的なので、例えばＬＣＤモニタまたはプラズマモニタなどｓＲＧＢとは大きく異なる変換関数を用いた技術分野でもなお、ｓＲＧＢインターフェースによって画像データ入力をサポートしている。
【０００５】
ｂ）デジタルスキャナ、モニタおよびデジタルカメラの製造業者は、これらの装置の別の機能として、ＲＧＢ画像データを出力する機能を備えることが多い。
【０００６】
ｃ）ほとんどすべてのコンピュータプログラムは従来からｓＲＧＢ類似の色空間を利用することができる。
【０００７】
残念ながら、ｓＲＧＢ色空間および印画紙（例えばハロゲン化銀紙）の色空間は大きく異なっている（図３参照）。ｓＲＧＢ色空間のうちの広い範囲、特に鮮やかな純色が印画紙の領域外にある。その反面モニタは一般的に印画紙の暗いほうの純色を再生することができない。
【０００８】
入力装置で取り込むことのできる色の範囲（入力領域）を画像再生システムで再生することのできる色の範囲（出力領域）に適合させるために、現在以下の２つの処理が行われている。
【０００９】
１）ｓＲＧＢデータを画像制御データとしてそのまま使用して、画像再生システムを制御する。言いかえれば、ＲＧＢ入力によるプリンタの制御のためにｓＲＧＢ座標が変換されＲＧＢ座標として使用される。この処理は、非常に簡単であり、（ｓＲＧＢ座標の値の範囲がＲＧＢ座標の値の範囲と一致する場合には）プリンタの印刷可能なすべての色が利用できることが保証される。
【００１０】
２）従来的な色管理方法が利用される。色管理については、“デジタル色管理”、マサチューセッツ州アディソン−ウェズリーのイー・ジェー＝ジョルジアーニおよびティー・イー＝マドゥオン共著、１９９７年、４４０−４４５頁（ＩＳＢＮ０−２０１−６３４２６−０）の“付録Ａ：測色法”で言及されている。色管理の主要点を表す装置に依存しないプラットフォームの原理もまた、マイケル＝ハスおよびトッド＝ニューマン共著、“色管理：新しい標準規格のカレントプラクティスと採用”で説明され、これはインターネットアドレスｈｔｔｐ：／／ｗｗｗ．ｃｏｌｏｒ．ｏｒｇ／ｗｐａｐｅｒ１．ｈｔｍｌで利用することができる。従来的な色管理方法にしたがうと、入力ｓＲＧＢ座標は色空間プラットフォームの色座標（以下では、“プロファイル関連空間”すなわちＰＣＳと略記される）に変換される。色空間プラットフォームは装置に依存しない色空間であることが好ましい。したがって、色空間プラットフォームの領域は入力装置と出力装置の予想されるすべての領域か、あるいは現在する領域を含むことが好ましい。色空間プラットフォームにおける任意の領域（ＰＣＳ）を有する画像は標準的な色空間上にマッピングされ、その後出力装置（画像再生装置）のＲＧＢ装置座標に変換される。
【００１１】
上述の処理に加えて、以下の処理もなされてよい。
３）予め選択された色パレットまたはテスト風景から始める。色パレットまたはテスト風景はいずれも、フィルムを使った従来的な写真装置によってのみならず、デジタル画像取込システム（例えばデジタルカメラまたはスキャナ）によっても取り込まれる。その後、従来的な写真技術ではアナログ技術を、デジタル画像取り込みではデジタル処理を利用してデータが処理される。アナログシステム（従来的な写真技術）の印刷に対応したデジタルデータに基づいて印刷されるまでにデジタル的に取り込まれたデータを変更するために、これら２つの結果が比較され、プロファイルが生成される。
【００１２】
しかしながら、上述した各処理には欠点がある。
１）処理１は色管理の原理に反している。オリジナル画像の色認識に可能な限り近い色認識を実現することは、色管理の本質的な原理の１つである。しかしながら、ｓＲＧＢ色空間とプリンタの色空間との間には、大きな変更や歪みが生じる。これらは互いに回転したりねじれたりしている。しかしながら、処理１は単に各々の色空間の場所と場所とをマッピングするのみである。このようなマッピングでは、色合い、彩度、明るさが全く維持されない。これでは、オリジナル画像の色表現とほとんど共通性のない色再生しかもたらされない。発明者が認識している解決策の直接的な原因は、印画紙の色特性が認識可能なことである。例えばｓＲＧＢ色空間の黄色の場所に対応するレモンの黄緑色が印画紙上ではオレンジになってしまう。同様に、モニタ上の鮮やかな緑が印画紙上では暗い緑として再生されてしまう。要するに、この処理は標準の色管理の原理とはほとんど共通性を持たない。ユーザは現状の色管理を余儀なくされているままである。ユーザは目的の色空間を実現するために、プリンタに入力する前に手動でデータを予め処理しなければならない。
【００１３】
２）ｓＲＧＢ色空間には印画紙では再生できないような高度の純色や非常に鮮やかな色が多く含まれている。発明者は、上述の処理２にしたがった標準の色管理プログラムでは、色合い、彩度、および明るさの維持において妥協を図らなければならないことを認識している。これら明るく強い純色は、したがって非常に明るいパステル色上にマッピングされてしまう。これは数学的には正しいが観察者が期待する色にはならないことが多い。このことは、特にグラフィックや色付きのテキストにあてはまる。ｓＲＧＢ色空間の広い領域が、色空間のうち紙により再生可能な部分の外にある場合、すなわち、印画紙の全色領域の外にある場合、ｓＲＧＢ全領域の色空間プラットフォーム（ＰＣＳ）へのマッピング後に、出力装置（画像再生システム、すなわちプリンタ）の色空間への全領域のマッピングを受けて不可避な領域の圧縮が行われるときに、ｓＲＧＢ領域の広い領域が小さな領域上に圧縮される。ｓＲＧＢ全領域のかなりの部分のこの圧縮は、特に鮮やかで高度の純色に対して輪郭の損失をもたらす。逆にｓＲＧＢの全領域、つまりｓＲＧＢデータにより伸長可能な色空間は、印画紙の全領域の一部分、すなわち、印画紙により再生可能な色、つまり暗い色の範囲にある色を網羅するのみである。これら暗い色は、入力装置のｓＲＧＢ色空間では生じないので、処理２にしたがった印刷のためには決して使用されない。言いかえれば、利用可能な印画紙の領域またはプリンタの領域のかなりの部分が使用されないのである。
【００１４】
３）発明者は、３番目の処理によって、具体的には、（例えばデジタル媒体に記憶されている）デジタル画像データを印画紙上で再生する場合に処理１や２よりも良い色の再生結果がもたらされることを発見した。しかしながら処理３は汎用化が難しく、非常にフレキシブルでない。処理３は、具体的な印画紙および具体的な色チャートの使用を要求している。ここで、特別に使用される印画紙は一般的に適正な基準紙であり、色チャート上で再生される色空間は、予想されるすべての色空間を網羅していると想定されている。しかしながら、少なくともそれぞれの具体的な印画紙は長所も短所も持っているので最適とは言えない。この処理は測色値に基づいているので色変換はパラメータ化できず、よって他の場合、特に他の印画紙に適用できないことになる。この理由は特に色変換がブラックボックスのような特性を有しているからである。
【考案の開示】
【発明が解決しようとする課題】
【００１５】
出力装置による最も適した色空間の再生に関して柔軟に適応できる方法で、入力装置で作り出された画像データの処理のためのプロセスを提供することが本発明の目的である。さらに、このプロセスが用いられる写真プリンタまたはフォトラボと同様に、対応プログラムおよびコンピュータ記憶媒体すなわちこのプログラムを備えたコンピュータが作成される。
【課題を解決するための手段】
【００１６】
上述の目的は、請求項１，９，１０および１１の特長により実現される。
本発明にしたがって、ｓＲＧＢ、ＣＩＥＸＹＺ、ＣＩＥＬＡＢのような第１の色空間における第１の位置を表す画像データが処理される。このデータはｓＲＧＢ画像データに関連していることが好ましい。その後第１の位置は変換の対象となるだけでなくモデルに入力される。モデルへの入力をまず行うか、あるいは変換をまず行うか、あるいは両方を並行または同時に行うかは任意である。
【００１７】
第１の位置はいわゆる変換位置への変換によって変換される。ここで画像データによって表される色値は全く変化しないか、あるいはほとんど変化しないで維持されるのが好ましい。変換位置は、ＣＩＥＬＡＢ、ＣＩＥＸＹＺ、またはｓＲＧＢのような第２の色空間における位置を表す。第２の色空間は第１の色空間とは異なっているのが好ましく、特に第１の色空間が装置に依存している場合には、第２の色空間は例えばＣＩＥＬＡＢやＣＩＥＸＹＺのように装置に依存しない色空間であることが好ましい。変換は予め選択された数学的規則、好ましくは解析的規則にしたがって実行されることが望ましい。ルックアップテーブル（ＬＵＴ）に基づく変換も許容される。
【００１８】
変換は、第１の色空間において画像データにより表されるすべての第１の位置が第２の色空間における変換位置に変換されるような方法で実行されるのが好ましい。可能性のある第１の位置は、この第１の位置を変換することで生じる可能性のある変換位置と同一の色空間（領域）を伸長するのが好ましい。変換はリバーシブルまたは全単射であることが好ましい。各色値（または少なくとも色値の大部分）は、例えば照射の開始角度やスペクトル分布のような特定の観察条件の仮定の下で、対応する変換位置により表される色値に少なくともほぼ対応することが好ましい。
【００１９】
第２の色空間は、第１の色空間よりも出力装置（例えば画像再生システム）の色空間に類似するように設計されていることが好ましい。より大きく類似しているということは、特に出力装置の色値が第１の色空間よりも第２の色空間でより多く再生可能であるということを意味する。つまり、出力装置で再生できない色の範囲ができる限り小さく維持される。出力装置のすべての色値が第２の色空間でも再生できることが好ましい。
【００２０】
第２の色空間の領域（好ましい色の領域）は出力色の領域か、予め定められた出力色の領域の和集合に少なくとも類似していることが好ましい。類似しているということは、領域がより類似していれば、結果として得られる差の集合がより小さいということを意味する。差の集合は例えば２つの比較された領域の間のボリューム差として決定されてもよい。ここでボリューム差は例えばＣＩＥＬＡＢ座標により決定されてもよい。基準領域と出力領域間のボリューム差、すなわち予め定められた出力領域の和集合は、基準領域のボリュームの３０％、１０％、５％、あるいは１％よりも小さいのが好ましい。
【００２１】
変換は第１の色空間（例えばｓＲＧＢ）から分析解が存在する第２の色空間（例えばＬａｂ）への変換のために使用されるのが好ましい。
【００２２】
画像データは変換位置に変換されだけでなく、モデル位置を得るためにモデル画像再生システムにも与えられるのが好ましい。モデル位置は、好ましくは上述したような同一の第２の色空間にある位置を示す。モデル画像再生システムは欧州特許出願第０１　１０１　１２８．５−２２０２号、対応米国特許出願第１０／０５３，６２９号、対応カナダ特許出願第２，３６７，９２８号、さらに対応日本特許出願第２００２−０１２１５２号で開示されている。これらの特許出願の教示は本発明の詳細な説明に具体的に取り込まれている。例えば画像データは、モデル位置を得るための以下の画像再生システムをモデリングする処理の対象となっていてもよい。
【００２３】
ここで、光変調値に対応した光変調器によって再生される画像をモデリングする処理は入射光の強度をスペクトル変調する。ここで、モデル画像再生システムは画像制御データ（画像データ）に応答して光変調器の光変調量を決定し、この処理は特に以下のステップを含む。
【００２４】
ａ）画像再生に使用される光変調器の光変調値は入力画像制御データに基づいて入力画像制御データ（画像データ）に対するモデル画像再生システムの反応をモデリングすることによって計算され、および／または
ｂ）光変調器により再生され、光変調器上に光が投射されると生成される画像の色値を示す変調色値は、計算された光変調値に基づいて計算される。
【００２５】
上述の処理によって画像データをモデル位置に変換するために、画像データは画像制御データとして処理に入力される。例えばモデル画像再生システムが例えばＲＧＢ形式の例えば画像制御データを含み、かつ画像制御データが例えばｓＲＧＢ形式で存在している場合は、ｓＲＧＢデータはモデル画像再生システムによってＲＧＢデータとして変換される。さらに、モデル位置は変調色値を示す第２の色空間における位置に対応している。
【００２６】
上述したモデリング処理は特に光変調の形式で再生された写真画像のモデリングと関係する。光変調器は例えば色素や干渉フィルタであり、ここで光透過性を制御することができるか、または液晶などによって干渉フィルタを制御することができる。光変調器は、入射光を変調または変化させ、入射光のスペクトルを変調または変化させる。光変調器は反射、吸収および／または変換し、入射光は波長にしたがって反射、吸収および／または変換される。吸収、反射、および変換特性は一般に波長依存性である。
【００２７】
本発明で使用されるモデリング処理は、どのように画像が観察者またはいくつかの定められた色チャネルを持つ測定装置に対して表示されるかというモデリング処理に特に関係しており、ここで画像は画像再生システムにより再生される。この画像再生システムは、画像を光変調器によって生成し、予め選択された画像データ（画像制御データ）によって制御される。ここで画像データは、光変調器（例えばＬＣＤ表示装置の素子）を直接制御するか、あるいは光変調器の生成に間接的に影響を与えることができる（例えば画像データによる照射ユニットの制御による色素の生成。ここで、露光ユニットは印画紙を露光する。あるいは色付きインクの印画紙上への吹き付け）。
【００２８】
モデリング処理によって特に画像再生装置（例えばプリンタ）および媒体（例えば紙）からなる画像再生システムがモデリングされ、ここで画像再生装置は、特に媒体における光変調器（例えば印画紙の露光）またはその結果（例えばインクジェット印刷または色レーザ印刷）を生成する。ここでこの媒体は反射および／または変換可能（例えば箔）であり、画像は反射または変換に吸収される。
【００２９】
モデリング処理は、光変調器は生成されてないがすでに最初から光変調特性を有し、さらに画像再生用に調整されている画像再生システムのモデリングにも関係している。例えば光強度変調器（例えば液晶またはＬＣＤ表示装置）に接続された干渉フィルタのフィールドでも同様である。
【００３０】
モデリング処理は媒体（例えば色を印刷した印画紙あるいは通常紙）上で再生された写真画像を色素で色モデリングすることに特に関係している。そして特に、画像が画像再生システムによって再生されるときに画像により反射、変換、および／または吸収された光の色値を示す予め選択された画像データ（画像制御データ）に基づいて写真画像の色値を決定する処理におけるモデルの使用に関する。画像データは、色素により画像媒体（例えば印画紙）上に画像を生成する画像再生装置の制御を行う。色値は、特に（標準的な）人が関知する画像の色を示す。ここで画像は例えば反射または変換において観察される。色値によってスペクトルは離散値で表される。通常、人の目に対応した３つの値が使用される。色値は、例えば人の目の感度曲線を示す関数で折り畳むことによりスペクトルから得られるのが好ましい。しかしながら、これらの色値は、例えばＡＮＳＩ−Ａの色値の発生において別の関数で折り畳むことにより得ることもできる。ここで、使用される関数は人の目の感度曲線よりも帯域が狭く、特に、色濃度測定装置の感度曲線に対応している。
【００３１】
本発明はプリンタ、特にフォトラボに関する。特に、本発明はミニラボに関するが、大きな規模のラボおよび本発明にしたがった処理を用いる規模の大きなラボ用の装置にも関する。本発明は特に、写真の分野および写真画像データの処理に関する。画像データは従来通り２次元でもよいが、ホログラムのような場合は３次元でもよい。
【００３２】
本発明にしたがったフォトラボまたはプリンタは、例えば異なる入力チャネルのような多くの異なる方法でデータを受信することができる。さらに、そのデータを特に異なる出力チャネルを介して配信することもできる。入力装置は、例えばディスケット（登録商標）、ＣＤ、ＤＶＤ、メモリディスク、メモリカード、ハードドライブなどのデータキャリアとして受信してもよい。もちろんスキャナ、特に画像データを得るために従来のフィルムをスキャンするためのスキャナも含んでいてもよい。特に、プリンタ、または例えばＤＭＤ（デジタルミラー装置）により動作する露光装置、またはインクジェットプリンタが出力装置として動作してもよい。処理された画像データもインターネット等を介してデジタル的に出力され、あるいはＣＤやＤＶＤ（図１を参照）等のデータキャリア上に記憶されることができる。
【００３３】
すでに上述したように、色空間のプラットフォームすなわちプロファイル接続空間（ＰＣＳ）が第２の色空間として使用されるのが好ましい。例えばいわゆるＩＣＣ（国際色彩コンソーシアム）標準規格は色データの変換のためのプラットフォームとしてはたらくものとして知られている。ここで、装置専用の色データを装置に依存しない色空間に変換することが目標であり、これにより、再び他の装置専用の色空間に変換することができる。
【００３４】
モデリング処理に関しては、前述した欧州出願番号第０１　１０１　１２８．５−２２．２号に基づいて以下の情報が提供される。上述したモデリング処理において言及された光変調値は光変調器による光変調を表し、画像データに直接関係していることが好ましい。この関係性は、画像再生システムに入力された画像データと画像再生システムの特有な（モデリングされた）物理特性との間の関数的な関係性のモデリングに基づいているのが好ましい。特に、光変調値は、特定の光変調器がどれほど強く全体の光変調に寄与しているかの測定度である。光変調値は例えば印画紙の色素形成の強度および／または生成された色素の濃度を示す。光変調値は色素が置かれる媒体の反射特性を考慮してもよい。モデリング処理において、光変調値は画像データ（画像制御データ）に対する画像再生システムの応答をモデリングするモデルに基づいて計算される。このため、このモデルは“モデル画像再生システム”としても参照される。
【００３５】
本発明にしたがって変換位置およびモデル位置が決定される場合に、第２の色空間空間における第２の位置がこれにより決定されるのが好ましい。これらの第２の位置は、変換処理およびモデリング処理の平均および／または特性を含むといった方法で決定されるのが好ましい。第２の位置は本発明にしたがった処理によって出力され、あるいはさらなる処理の基礎となってもよい。このさらなる処理は特に第２の位置が画像データ（最適化された画像データ）に変換されることに存していてもよい。変換された（最適化された）画像データは第３の色空間における位置を示すことが好ましい。第３の色空間は出力装置に適合しているのが好ましく、この出力装置は処理された画像データ（最適化された画像データ）によって制御することができる。
【００３６】
第２の位置の決定は、第２の位置を得るために変換位置をモデル位置と接続あるいは混合する接続ルールまたは混合ルールによって行われるのが好ましい。この接続または混合において、第１の位置は第２の位置に対応しており、特に第１の色空間におけるその配置（例えば距離によって定められている）が考慮されてもよい。接続ルールまたは混合ルールは第１の色空間における第１の位置の位置および／または混合または、接続と関係した変換位置、モデル位置および／または、（第２の色空間における）第２の位置の位置に基づいている。これは、（第１および／または第２の色空間の）位置にしたがって異なる結びつけまたは混合が好ましく行われることを意味する。（第１および／または第２の色空間における）位置にしたがうと、第２の位置は例えば変換位置と完全に対応可能なので、したがって対応するモデル位置は混合において影響を受けることはなく、あるいは第２の位置はモデル位置と完全に対応可能なので、したがって対応する変換位置は混合において影響を受けることはない。これらの変換位置およびモデル位置は、同一の画像データ（対応する第１の位置を意味する）から得られた第２の位置に対して結びつけられているのが好ましい。代替的あるいは追加的に、例えば同一の第１の位置から得られたモデル位置および変換位置が結びつけられることができるだけではなく、例えば画像において（対応する）第１の位置にローカルに隣接する、第１の位置から得られた変換位置またはモデル位置もまた、例えば第１の位置からの距離が増加するに伴って減少する重みで第２の位置の決定のための結びつけルールまたは混合ルールにしたがうことができる。
【００３７】
例えばユーザの好みにしたがって画像データ（画像制御データ）にとって最適なスタート地点と考えられる第２の位置を見つけるために、モデル位置によって表される本発明の特性を変換位置によって表される入力装置の特性と結びつけることが本発明に従った処理の本質的な利点である。したがって、直接の割り当て（一致）が入力画像データ（第１の位置）と第２の位置との間に存在することにより、各画像データが第２の位置に割り当てられ、したがって画像データの第２の位置への変換は少なくとも主観的であることが好ましい。処理がリバーシブルであるよう特別に設計するために、変換は全単射であってもよい。
【００３８】
処理に入力される画像データは、特定の値の空間を伸長するよう設計されているのが好ましい。これらは、例えば３つの値のチャネル（Ｒ、Ｇ、およびＢ）を持つｓＲＧＢデータであり、これらの値はそれぞれ例えば０から２５５の値の範囲に及んでいてもよい。関連する制御値もまたは３次元であり、各次元の値の範囲は０から２５５に及んでいる。モデル画像再生システムは入力画像データの制御値空間に適合しているのが好ましい。モデル画像再生システムは、例えばすべての予想されうる画像データ（全体の制御値空間を伸長する）の入力を受けて、モデル画像再生システムによって再生可能な色空間のすべてあるいは少なくともほとんどすべての値が生成されてもよいという方法で設計されるのが好ましい。例えばモデル画像再生システムはプリンタ（出力装置）をモデリングする。このプリンタはＲＧＢ入力を有している。モデル画像再生システムは、制御値空間に受け入れ可能なすべての予想されうる画像データが入力されるときには、Ｒ、Ｇ、およびＢチャネルが完全にあるいは少なくともほぼ完全に（入力装置の）画像データによって制御されるように設計されているのが好ましい。これは、例えば入力装置のｓＲＧＢデータがモデル画像再生システム（モデリングされた出力装置）用のＲＧＢデータとして変換され、入力装置の個々のチャネルおよびモデリングされた出力装置が同一の制御値の範囲またはビット値の深さ（例えば０から２５５）を有する場合に簡単に達成できる。
【００３９】
（受信された画像データ）の制御値空間に適合したモデル画像再生システムの上述した設計によって、モデル位置はモデル画像再生システムの領域を十分に利用することができること、さらにモデル画像再生システムが自身の色再生能力に関して十分に変調されうることが保証される。
【００４０】
このことは、従来的な処理とは対照的に、例えば印画紙を用いた写真プリンタのモデリングに応じてｓＲＧＢ色空間には存在しない暗い色がモデル位置により表されることができるということを保証する。このようにして印画紙の領域がよりよく利用される。
【００４１】
すでに議論したように、モデリング処理は出力装置の全領域を反映するすべての予想されうるモデル位置をもたらす一方で、すべての予想されうる変換位置は入力装置の全領域を反映している。すべての予想されうる変換位置を含む第２の色空間の部分は“変換位置”と参照される。すべての予想されうるモデル位置を含む第２の色空間の部分は、第２の色空間の“モデル位置”と参照される。画像データが、制御値空間のすべての予想されうる値をとる本発明にしたがった処理に入力されると、変換は第２の色空間における変換位置の伸長をもたらし、モデリングは第２の色空間におけるモデル位置の伸長をもたらす。ここで変換位置およびモデル位置は通常それぞれオーバーラップし、これによりオーバーラップしている部分は“オーバーラッピング部分”として参照される。
【００４２】
すでに議論したように、モデル位置および変換位置の結びつけまたは混合は、位置に依存して（すなわち、特に変換位置、モデル位置および／または第２の位置にしたがって）行われるのが好ましい。変換におけるこの位置依存性は、本発明にしたがうと、例えば第２の色空間、変換部分、モデル部分および／またはオーバーラッピング部分のサブスペース、セクション、または点などの（正確な）部分に基づいていることが好ましい。位置依存性は、例えばグレイ軸、グレイ軸のセクション、またはグレイ軸の点と関係している。例えば定められたメトリック上の全領域の輪郭（領域の境界面）への最短距離のような別の基準が代替的または追加的に用いられてもよい。第１の色空間がｓＲＧＢの場合、グレイ軸、またはグレイ軸付近の第２の位置は単独で、あるいは主に変換位置に基づいて決定されるのが好ましい。この好ましさは、オーバーラッピング部分の重要な部分または主要な部分に対してでさえ、例えばオーバーラッピング部分の最大１０％、３０％、６０％、または８０％に適応するのが好ましく、これにより残りの領域、特にオーバーラッピング部分の輪郭において、第２の部分の決定におけるモデル位置の比率は増加する。これは例えば変換位置とモデル位置との数学的な結びつけに応じて第２の位置を得る方法で示されてもよく、数学的な結びつけは重み付けられた方法で行われ、モデル位置に対する重みがグレイ軸からの距離に伴って増加する一方で、変換位置に対する重みはグレイ軸からの距離に伴って減少する。
【００４３】
代替的または追加的に、変換部分の輪郭面も（正確な）部分として使用されてよい。例えば変換位置の重みは変換部分の次の境界面からの距離が減るのに伴って減少し、モデル位置の重みは増加する。したがって重みの増減は相称的であるのが好ましい。
【００４４】
ここで、上述した距離は例によって後述するように第１の色空間において決定されるのが好ましい。
【００４５】
オーバーラッピング部分の中央領域またはオーバーラッピング部分の主に内部領域において、中央領域に対する色の数学的に正確な再生を得るために、第２の位置を決定するための変換位置はモデル位置よりもより強く重み付けられた数学的な結びつけに存するのが好ましい。その後オーバーラッピング部分の境界領域は、モデル画像再生システムの色の再生能力が使用されるように設計されるのが好ましい。したがって、第２の位置の決定においては、モデル位置は変換位置よりもより強く補強されるかより強く重み付けられる。
【００４６】
第１の位置、変換位置、および／またはモデル位置による第２の位置の決定に対する影響付けは連続的であることが好ましい。特に、第２の位置の決定の位置依存性は連続的であるか、あるいは連続関数によって示される。この関数の少なくとも第１の導出もまた連続的であることが好ましい。この関数は第２の位置の決定のために第２の変換位置とモデル位置の結びつけを好ましく示す。第１および第２の位置がここで互いに対応すると示されると、第２の位置が本発明にしたがった処理によって第１の位置から得られることを意味する。
【００４７】
結びつけ、特に数学的な結びつけは、第１の位置、モデル位置および／または変換位置の位置を示す位置の値が、とくに数学的に結びつけられるように都合よく行われる。第１の位置、モデル位置、および／または変換位置は、例えば３次元空間の座標により、あるいはベクトルを示す値により表すことができる。
【００４８】
第１の位置、変換位置および／またはモデル位置に基づく第２の位置の決定は、画像コンテンツにしたがって、あるいは画像の一部分における色、構造、またはパターンにしたがって行われてもよい。例えばテキストがパターンおよび／または文字認識処理によって画像コンテンツとして認識される場合、テキスト再生において可能な限り最良なコントラストを得るために、第２の位置は単独で決定されるか、あるいは主にモデル位置に基づいて決定されるのが好ましい。代替的あるいは追加的に、モデル位置に有利な重み付けが画像コンテンツにしたがって少なくともシフトされてもよい。画像の一部分がテキストまたは高いローカルコントラストを有する構成されたグラフィクスに関係するときはそのまま処理が進められてもよい。この場合、例えばモデル位置に有利な重み付けのシフトもまた例えば可能な限り最良なコントラストの結果を得るためにローカルで行われてもよい。
【００４９】
代替的あるいは追加的に、異なる色特性（明るさまたは輝度、色の彩度および色調）に対する第１の位置、変換位置、および／またはモデル位置に基づく第２の位置の決定は別々に行われてよい。これに対応してあるいは代替的に、（色の）チャネルまたはこれらの位置が関連する色空間の次元にしたがった変換位置および／またはモデル位置の位置の値の処理は別々に行われてもよい。例えば第２の色空間の位置が値のトリプレットにより示される場合、例えば３つの値の１つは（明るさの位置の値）に関係していてもよい一方で、第２の値は色の彩度および色調の第３の値に関係している。これは例えばＬａｂ空間に関する例である。第２の色空間の各次元に対して、異なる結びつけルールが変換位置とモデル位置とに割り当てられてもよい。例えば明るさの位置の値（座標）について、結びつけは変換位置とモデル位置の対応する明るさの位置の値にしたがって行われてもよい。この場合の重み付けは、例えば主にまたは唯一グレイ値軸からの明るさの位置の値の距離にしたがって、あるいは例えばグレイ値軸からの変換位置の最短距離にしたがって行われてもよい。
【００５０】
例えば色調または彩度に関係し、以下で色調の位置の値または彩度の位置の値として参照される変換および／またはモデル位置の他の位置の値（座標）は、第２の位置に関する色調の位置の値または色の彩度の値を決定するために別の方法で結びつけられてよい。例えばこの場合重み付けは変換部分の次に近接した境界面までの距離にしたがって行われてもよい。
【００５１】
モデル画像再生システムは、理想化されたモデルであることが好ましい。これは、理想化されたモデル画像再生システムが、任意の実際の画像再生システムにより再生可能なすべての色値を再生できるように設計されるのが好ましいことを意味する。言い換えると、理想化されたモデル画像再生システムの全領域は、すべての実際の画像再生システムの出力におけるすべての領域、特に可能性のあるすべての考慮されうる出力媒体の全領域を含むのが好ましい。理想化されたモデル画像再生システムは、例えば色のスペクトル間で全く過剰発現が生じることなくモデリングされる。この理想化により、実際の画像再生システムによって後で利用されうるどの情報も失われることなく、画像データのモデル位置への変換により実際の画像再生システムに対する近似を得るという利点が得られる。理想的なモデル画像再生システムは、特定のタイプの画像再生システムの理想的な特性、例えば写真プリンタまたはピクチャプリンタの理想的な特性を好ましく反映する。例えば実際のシステムがモニタである場合、理想的なモデル画像再生システムは、例えばモニタの理想的な特性を反映する。
【００５２】
第２の位置の領域の目標とする縮小は、実際の画像再生システムへの最適な適合を得るために第２の位置を第３の色空間にさらに変換することによって行われてもよい。実際の画像再生システムの領域は理想的なモデル化された画像再生システムの領域よりも小さいのが好ましい。したがって、モデル空間により網羅される色空間は実際の画像再生システムの領域を好ましく含む。最適化された画像データを得るために、実際の画像再生システムの領域の外にある第２の位置は例えば実際の画像再生システムの領域（再生可能な色空間）の次に近接した輪郭に対して変換されてもよい。モデル位置はすでにほぼ実際の画像再生システムの特性を（理想化して）反映しており、第２の位置、特に領域の輪郭に位置する位置の決定において重大な影響を及ぼすので、例示的にのみ言及された第３の色空間へのこの非常に簡単に設計された変換の場合でも、軽微な歪みしかしながら生じない。これにより実際の画像再生システムにより与えられたパラメータに関して最適化された画像データが得られる。
【００５３】
本発明において、色空間に関して隣接または近接した参照がなされるときには、この参照は、人の色感知に関係するＣＩＥ−Ｌａｂ標準規格にしたがって定められた色の距離を参照しているのが好ましい。
【発明を実施するための最良の形態】
【００５４】
図１は、本発明にしたがった処理が使用される色管理の概略図である。色管理において、所望の色空間または標準空間が中間の共通プラットフォーム（第２の色空間）として機能する。ＣＩＥ−Ｌａｂ色空間は標準空間（第２の色空間）として選択されるのが好ましい。これは所望の特性を有している。すなわち、画像再生装置、色素および媒体により動作し、すべての予想されうる色素システムの空間を網羅するという色素システム（例えば紙を使用するプリンタ）のタイプに依存していない。特定の画像の色空間において再生された色データは、画像情報（例えばカメラ、フィルムスキャナ）の取り込みおよびデジタル化において使用された装置のタイプに完全に依存していないとは言えない。なぜなら、この色空間において再生される画像の詳細が、これらの入力装置の色調の範囲または全領域を開示しているし、異なる入力装置は一般的に色空間の異なる部分をカットまたは歪ませているからである。しかしながら、好ましく重要な特性として、各色が固有かつ明確に規定された位置を有するか、色空間において固有の領域を取るよう第２の色空間が設計される。さらに定義された変換が、第２の色空間と異なる入力または出力装置との間に存在するのが好ましい。出力装置は例えば色素システム、モニタ、デジタル記憶媒体またはネットワークインターフェースである。
【００５５】
ＣＩＥ−Ｌａｂ色空間は、以下の利点を有する第２の色空間、または同一または同様の利点を持つ色空間として選択されるのが好ましい。
【００５６】
ＣＩＥＬＡＢ色空間は人の目の色感度に適合している。Ｌａｂの色空間において、ユークリッド的距離Ｉにより分けられた各色の対は、人間が確認できる等間隔で各々から離間している。通常の観察者はさらに、最大で約ΔＥ＝［（ΔＬ２＋Δａ２＋Δｂ２）］１／２＝１まで色を区別することができる。明るさＬは色彩情報（色調および彩度）から抽出される。（ａ，ｂ）平面内の半径範囲［（ａ２＋ｂ２）］１／２は、色の彩度の測度である。（ａ，ｂ）平面においてａ軸を伴う角度は色調の測度である。
【００５７】
ＣＩＥ−Ｌａｂ色空間のさらなる利点は、それが特定の色調範囲または領域に限定されない点である。これは、例えばＣＩＥ−Ｌａｂが負のｓＲＧＢ値も許容する場合を除く、ｓＲＧＢ色空間との差である。
【００５８】
通常ｓＲＧＢ画像データとして示されるＲＧＢ画像データをＣＩＥＬＡＢ値に出力する、スキャナまたはデジタルカメラのモデル画像再生システムによる情報処理は、例によりおよび図２により以下で説明される。画像データが最適化されるべき画像再生システムは例えばプリンタまたは印画紙である。
【００５９】
プリンタは例えばＤＭＤプリンタでもよく、ここで光源からの光は感光紙（例えばハロゲン化銀印画紙）上に投射される。ＤＭＤはある角度でそれぞれフリップ可能な多くの小さなミラーを持つフィールドである。ＤＭＤフィールドはある光量を持つ画素で紙の画素を露光するために使用される。異なる色（例えば赤、緑、および青）の露出光を生成するために異なる色フィルタが使用される。赤、緑、および青の色は、感光紙上でシアン、マゼンタおよび黄の原色となる。
【００６０】
モデリングシステムにしたがった最大ＣＩＥ−Ｌａｂ色空間までのスキャナまたはデジタルカメラからのデータストリームが図２により以下で議論される。例えばデジタルカメラの最適以下のｓＲＧＢデータは、ステップ０において例えば画像に依存した最適化処理により、最適化されたｓＲＧＢデータに変換される。この最適化は任意である。その後、ｓＲＧＢデータはステップ１において例えばチャネル毎に色素濃度Ｃｉに再計算される。ここで以下の較正特性が必須であることが好ましく、例えば濃度Ｃｉは予め選択されたチャネル制御値Ｄｉ（ｉ＝ｓＲ、ｓＧ、ｓＶ、赤のチャネルも例えばｄｓＲ＝ｓＲ）に関するモデル画像再生システムをモデリングする関数Ｆにより決定される。関数ｆはモデル画像再生システムの反応を画像制御データｓＲＧＢの入力にモデリングする。色素濃度Ｃｉは画像制御データ（ｓＲＧＢ）のモデル画像再生システムへの入力を受けて得られる光変調値に関する例を提供する。例えばインクジェットが使用されるか、印画紙が露光される場合、Ｃｉは、ある量の色素をジェット反応からチャネル制御値ＤＩへスプレーすることにより生成される色ｉの色素濃度を表す。関数Ｆは光変調値（色素濃度）の生成も変調する。しかしながら、ここで画像制御データのモデル画像再生システムへの入力を受けて生成される色値はまだモデリングされていない。図２に示されるステップ２は、予め選択された光投射条件および観察条件での測定可能または観察可能な色値をモデリングするのに必要である。これはモデリング処理における以下のステップ２で行われる。
【００６１】
次のように、モデリング処理における以下のステップ２において、色素濃度に基づくＣＩＥ−Ｌａｂ値（変調色値）が最後に予測される。追加的あるいは代替的に、印画紙密度ＣＭＹが濃度計で測定されるように計算されてもよい。
【００６２】
図２のステップ２は以下で説明される。色濃度は生成された色素の光反射特性を示す。１組のｎ色素濃度Ｃｉを用いた場合、反射スペクトルＲ（λ）ｄλが導き出されるため、単一定数を用い、かつ簡単化されたＳａｕｎｄｅｒｓｏｎ−Ｃｏｒｒｅｃｔｉｏｎを用いたＫｕｂｅｌｋａ−Ｍｕｎｋ法が用いられる。この理論は、Ｋａｎｇ、Ｈ．Ｒ．著（１９９７ａ）、２．６Ｋｕｂｅｌｋａ−Ｍｕｎｋ理論、電子画像装置のための色彩技術、ＳＰＩＥ　Ｏｐｔｉｃａｌ　Ｅｎｇｉｎｅｅｒｉｎｇ　Ｐｒｅｓｓ（ワシントン州、米国）、４８−５４ページ出典、で説明されている。Ｋｕｂｅｌｋａ−Ｍｕｎｋのモデルは、実現可能な唯一のものである。別の可能性は例えばスペクトル色濃度とスペクトル色密度との間に線形相関が生成されるという単純なモデルに存する。このモデルはＫｕｂｅｌｋａ−Ｍｕｎｋ法により例えば３色層モデルに拡張されてもよい。最後に、第２ステップの終わりにおいて、反射スペクトルＲ（λ）ｄλが、照射源の関連するスペクトル、例えば（Ｄ６５、２Ｅ）で重み付けられ、ＣＲＥ−ＸＹＺ空間の色調整関数により折り畳まれる。その結果得られたＣＩＥ−ＸＹＺトリプレットがＬａｂ値に変換されることにより、標準式および印画紙または媒体の適切な点が使用される。さらなる特性、特に、例えば媒体が光沢紙であるかつや消し紙であるかといった媒体の特性が、特にステップ２のフレームワーク内に現れたピクチャに影響を与えるかどうかが考慮されてもよい。これにしたがい、例えば異なる反射スペクトルまたはモデルパラメータが選択されてもよい。
【００６３】
このモデルは、ｎ個の色素の混合のための第２の色空間における第２の位置を再生するＬａｂ値の結果を計算する。ここで、プリンタ−ＲＧＢ−入力データと色素濃度Ｃｉとが区別される。全ての値は１に標準化され、インターバル［０、１］内に存在する。インデックスｉは１からｎの値を取る。
【００６４】
ＡＮＳＩ−ステータス−Ａ印画紙密度またはフォト濃度計で測定される他の色密度値は、スペクトルの反射スペクトルから計算することができる。すなわち、対応する色調整関数で折り畳んで計算することができる。
【００６５】
モデリング処理のさらなる詳細に関しては、欧州特許出願第０１　１０１　１２８．５−２２０２号が参照される。
【００６６】
上述したモデリング処理は１つの例を示したにすぎない。例えばインクジェットプリンタまたはモニタのような他のモデル画像再生システムもモデリング処理の基本として同様に使用されてよい。
【００６７】
第１の位置を第２の色空間に変換して変換位置を得ることが以下で説明される。
【００６８】
この変換は、例えばｓＲＧＢ色空間から第２の色空間への変換を行う数学的表現式により都合よく説明される。例えば標準的なやり方がｓＲＧＢからＣＩＥ−Ｌａｂへの変換のために用いられてもよい。ここでｓＲＧＢ座標はまず、標準的なｓＲＧＢ色空間が使用されるＣＩＥＸＹＺ座標に変換されることが好ましい。その後、ＣＩＥＸＹＺ座標はＤ５０照射を持つＣＩＥ−Ｌａｂ値に変換される。
【００６９】
ＲＧＢ値に関して値の範囲が０…２５５のとき、ガンマ関数は以下のように考慮される。
Ｒ／２５５／Ｇ２５５，Ｂ／２５５＜０．００３０４のとき
２５５＊Ｒ’＝１２．９２＊（Ｒ／２５５）
２５５＊Ｇ’＝１２．９２＊（Ｇ／２５５）
２５５＊Ｂ’＝１２．９２＊（Ｂ／２５５）
または
２５５＊Ｒ’＝１．０５５＊（Ｒ／２５５）１／２．４−０．０５５
２５５＊Ｇ’＝１．０５５＊（Ｇ／２５５）１／２．４−０．０５５
２５５＊Ｂ’＝１．０５５＊（Ｂ／２５５）１／２．４−０．０５５
【００７０】
したがってＸＹＺ座標は、例えば上述のメアリー＝ニールソンおよびマイケル＝ストークの特許出願にしたがってｓＲＧＢ座標から次のように得られる。
Ｘ＝０．４３６１・Ｒ’＋０．３８５１・Ｇ’＋０．１４３１・Ｂ’，
Ｙ＝０．２２２５・Ｒ’＋０．７１６９・Ｇ’＋０．０６０６・Ｂ’，
Ｚ＝０．０１３９・Ｒ’＋０．０９７１・Ｇ’＋０．７１４１・Ｂ’，
【００７１】
ここで得られたＸＹＺ座標は、第２の位置の位置の値を表すことができる。しかしながら、これらはＣＩＥ−Ｌａｂ空間に変換されるのが好ましい。この変換がどのようになされるかは、例えば上述したイー・ジェー＝ジョルジアーニおよびティー・イー＝マドゥオンの特許出願で説明されている。ＣＩＥ−Ｌａｂ値Ｌ、ａおよびｂは、Ｘ、ＹおよびＺ（三刺激値）から以下のように計算され、ここで、Ｘａ、ＹａおよびＺａは、関連する参照白の三刺激値を示す。
【数式１】
2004145859.tif 000002
【００７２】
モデリング処理には解析関数も利用されるのが好ましいので、したがって変換位置およびモデル位置の数学的結果は解析関数で示されてもよい。そのように示されないのならば、混合または結びつけは解析関数のみを要求するのが好ましい。特に、変換位置とモデル位置とに基づいた画像データによる第２の位置の決定は、単一の（数学的に集約された）変換によって行われてもよい。
【００７３】
したがって、使用される変換はパラメータ化されているのが好ましい。ここでこれらの動作を望ましいように形作ることも可能である。ここで補間アルゴリズムは要求されないのが好ましい。これは混合のために要求される領域のマッピングには大変有用である。というのも、領域の境界周辺における数の不安定さを避けるために、領域の境界に関する正確な知識を有することは大変有益だからである。
【００７４】
相互に競合する異なる色管理の期待値は、本発明にしたがった処理により結びつけられ、整列される。同時に、先行技術にしたがった異なる処理の不都合性が回避される。入力において、それぞれのＰＣＳ座標（例えばＣＩＥ−Ｌａｂ）に対するｓＲＧＢの科学的に正しい変換が、色空間（例えばオーバーラッピング部分の内部領域）の大部分あるいは主要部分、例えば色空間の最大１０％、３０％、６０％、または９０％に対して使用されるのが好ましい。色空間は、印画紙の色の方向に“折り曲げられた”強度に飽和した色の周辺にのみ存するのが好ましい。この妥協によって、写真画像に加えられるグラフィック画像またはテキストが、飽和した印画紙の色により印刷可能な一方で、画像の残りの部分は標準的な色管理方法を使用して印刷されるのが好ましいという、ユーザの期待を満たすことができる。
【００７５】
ポイント３以下の紹介において説明されたこの処理の利点は、理想化されたモデル（例えば色が過剰発現していない）の好ましい利用よるモデリング処理によってコピーされる。しかしながら、出力装置の変更に関するより大きなフレキシビリティは、ポイント３にしたがった処理とは対照的に、理想化されたモデルの使用により達成される。
【００７６】
上述したモデリング処理によって、ＣＩＥ−Ｌａｂ値は、特定の照射（例えばＤ５０−照射）で得られるのが好ましい。色値が維持されるのが好ましいＣＩＥ−Ｌａｂ色空間へのｓＲＧＢの上述した変換によって、ＣＩＥ−Ｌａｂ値も同一の照射、すなわち例えばＤ５０−照射で得られるのも好ましい。
【００７７】
上述したモデル位置と変換位置の混合または結びつけを実行するためには以下の処理が行われる。
【００７８】
ｓＲＧＢ座標は０から１の値の範囲に好ましく標準化される。ｓＲＧＢ立方体のメトリックにおける２つの距離がその後好ましく決定される。
・最も近接したｓＲＧＢの輪郭面までのｓＲＧＢ画像データ（第１の位置）の距離はΔｓｕｒｆａｃｅである。（“ｓＲＧＢ表面”とも呼ばれる）。最短距離Δｓｕｒｆａｃｅ＝０は、ｓＲＧＢ輪郭面で得られる。ｓＲＧＢ座標上の点（０．５，０．５，０．５）に関して、最短距離はΔｓｕｒｆａｃｅ＝５であり、この点はすべてのｓＲＧＢの点からのｓＲＧＢ輪郭面への距離を最大にする必要がある。
・グレイ軸までの同一のｓＲＧＢ画像データ（同一の第１の位置）の距離はΔｇｒａｙとして参照される。グレイ軸上の点についてはΔｇｒａｙ＝０が導かれる。ｓＲＧＢ立方体の対角について、Δｇｒａｙ＝（２／３）１／２の値は白と黒に分かれて生じる。
【００７９】
ｓＲＧＢ画像データに対する重み付け因子ＷｓｕｒｆａｃｅおよびＷｇｒａｙは混合または結びつけのために以下のように決定される。
Ｗｇｒａｙ＝１−ｅｘｐ（−Δｇｒａｙ／σｇｒａｙ）
Ｗｓｕｒｆａｃｅ＝ｍ［ｅｘｐ（−（Δｓｕｒｆａｃｅ−ｄ）２／σｓｕｒｆａｃｅ）−ｅｘｐ（−（０．５−ｄ）２／σｓｕｒｆａｃｅ）］
【００８０】
上記の式で、ｍ、ｄ、σｓｕｒｆａｃｅおよびσｇｒａｙは一定に定まる。（Ｌ１、ａ１、ｂ１）がｓＲＧＢ画像データ（第１の色空間における第１の位置）をＬａｂ色空間へ変換することにより得られるＬａｂ値を定めることで変換位置を定め、さらに（Ｌ２、ａ２、ｂ２）がｓＲＧＢ画像データ（第１の位置）からのモデリング処理により得られるモデル位置を定める場合、第１の位置に対応して第２の位置を定める（Ｌ、ａ、ｂ）値は例えば以下のように決定されてもよい。
Ｌ＝（１−Ｗｇｒａｙ）Ｌ１＋ＷｇｒａｙＬ２
ａ＝（１−Ｗｓｕｒｆａｃｅ）ａ１＋Ｗｓｕｒｆａｃｅａ２
ｂ＝（１−Ｗｓｕｒｆａｃｅ）ｂ１＋Ｗｓｕｒｆａｃｅｂ２
【００８１】
上記の結びつけ処理において、モデル位置および変換位置のそれぞれ対応するチャネル、すなわちＬ−チャネル、ａ−チャネル、およびｂ−チャネルは互いに結びつけられる。明るさに関するＬ−チャネルはグレイ軸からの距離にしたがって決定される。他の２つのチャネルについては、重み付けは標準化されたＲＧＢ立方体の領域平面からの距離にしたがって行われる。通常、対応する変換位置の座標とは異なる第２の色空間における座標を持つモデル位置は、モデリング処理により（ｓＲＧＢ画像データの）第１の位置から得られる。ΔｓｕｒｆａｃｅおよびΔｇｒａｙの計算に関して、および計算によって得られるＷｇｒａｙおよびＷｐｌａｎｅに関して、２つの予想されうる通常異なる座標の少なくとも１つが上述の処理に追加的あるいは代替的に使用され、ここで距離の決定は第２の色空間（Ｌａｂ）以外の（ＲＧＢとしての）第１の色空間では行われない。
【図面の簡単な説明】
【００８２】
【図１】図１は、本発明にしたがったフォトラボまたは、入力装置と出力装置とを有する写真プリンタのネットワーキングを示す図である。
【図２】図２は、欧州特許出願第０１　１０１　１２８．５−２２０２号にしたがったモデリング処理を示す図である。
【図３】図３は、ｓＲＧＢとして参照される変換部分と印画紙として参照されるモデル部分とを有する第２の色空間を示す図である。
【図１】
2004145859.tif 000003
【図２】
2004145859.tif 000004
【図３】
2004145859.tif 000005
【外国語明細書】
2004145859.tif 000006
2004145859.tif 000007
2004145859.tif 000008
2004145859.tif 000009
2004145859.tif 000010
2004145859.tif 000011
2004145859.tif 000012
2004145859.tif 000013
2004145859.tif 000014
2004145859.tif 000015
2004145859.tif 000016
2004145859.tif 000017
2004145859.tif 000018
2004145859.tif 000019
2004145859.tif 000020
2004145859.tif 000021
2004145859.tif 000022
2004145859.tif 000023
2004145859.tif 000024
2004145859.tif 000025
2004145859.tif 000026
2004145859.tif 000027
2004145859.tif 000028
2004145859.tif 000029
2004145859.tif 000030
2004145859.tif 000031
2004145859.tif 000032
2004145859.tif 000033
2004145859.tif 000034
2004145859.tif 000035
2004145859.tif 000036
2004145859.tif 000037
2004145859.tif 000038
2004145859.tif 000039
2004145859.tif 000040
2004145859.tif 000041
2004145859.tif 000042
2004145859.tif 000043
2004145859.tif 000044
2004145859.tif 000045
2004145859.tif 000046